(57)【要約】  本発明は化粧品に関し、内容物を貯蔵する内容器と、上記内容器に結合されて内容物を排出するポンプと、上記ポンプから排出された内容物を外部に吐出する吐出口を有する吐出板と、上記内容器を取り囲み、上記吐出板を外部に露出させるハウジングと、を含み、上記吐出板及び上記ポンプは、互いに結合された状態で、上記ハウジングでヒンジ回転できるように設けられ、上記内容器は、上記吐出板及び上記ポンプがヒンジ回転するとき、上記ハウジングから上方に分離できるように設けられることを特徴とする。
2021536296.tif 000002
【特許請求の範囲】
【請求項１】
内容物を貯蔵する内容器と、
前記内容器に結合されて内容物を排出するポンプと、
前記ポンプから排出された内容物を外部に吐出する吐出口を有する吐出板と、
前記内容器を取り囲み、前記吐出板を外部に露出させるハウジングと、を含み、
前記吐出板及び前記ポンプは、
互いに結合された状態で、前記ハウジングでヒンジ回転できるように設けられ、
前記内容器は、
前記吐出板及び前記ポンプがヒンジ回転するとき、前記ハウジングから上方に分離できるように設けられることを特徴とする化粧品。
【請求項２】
前記吐出口は複数個で設けられ、
前記ポンプと前記吐出板の間に設けられ、前記ポンプから排出された内容物を拡散させて前記複数個の吐出口に伝達する拡散空間を有する拡散部をさらに含むことを特徴とする請求項１に記載の化粧品。
【請求項３】
前記ハウジングは、
底面に前記内容器を押し上げるための貫通口が設けられることを特徴とする請求項１に記載の化粧品。
【請求項４】
前記内容器は、
前記ポンプが取り付けられ、内容物が排出される通路である開口を有し、前記ポンプがヒンジ回転しながら前記開口が前記ポンプによって密閉または開放されることを特徴とする請求項１に記載の化粧品。
【請求項５】
前記吐出板の周りを取り囲み、前記ハウジングに結合される枠部をさらに含み、
前記吐出板及び前記ポンプは、前記枠部に結合された状態で、前記ハウジングでヒンジ回転されることを特徴とする請求項１に記載の化粧品。
【請求項６】
前記ハウジングにヒンジ回転できるように設けられて前記吐出板を覆う蓋をさらに含み、
前記吐出板及び前記ポンプを前記ハウジングでヒンジ回転させるヒンジ部は、
前記蓋のヒンジ部とずれて配置されることを特徴とする請求項５に記載の化粧品。
【請求項７】
前記ハウジングにヒンジ回転できるように設けられて前記吐出板を覆う蓋をさらに含み、
前記吐出板及び前記ポンプを前記ハウジングでヒンジ回転させるヒンジ部は、
前記蓋のヒンジ部と一体で設けられることを特徴とする請求項５に記載の化粧品。
【請求項８】
前記内容器は、
回転により前記ハウジングから上下に拘束されるか、上方に離脱できるように設けられる引っ掛け片を有することを特徴とする請求項１に記載の化粧品。
【請求項９】
内容物を貯蔵する内容器と、
前記内容器に結合されて内容物を排出するポンプと、
前記ポンプから排出された内容物を外部に吐出する吐出口を有する吐出板と、
前記内容器を取り囲み、前記吐出板を外部に露出させるハウジングと、を含み、
前記吐出板及び前記ポンプは、
互いに結合された状態で、前記ハウジングでヒンジ回転できるように設けられ、
前記内容器は、
前記吐出板及び前記ポンプのヒンジ回転により前記ハウジングから引き出されることを特徴とする化粧品。
【請求項１０】
前記内容器は、
前記ポンプが取り付けられ、内容物が排出される通路である開口を有し、前記開口が前記ポンプにネジ結合方式でかみ合って着脱されることを特徴とする請求項９に記載の化粧品。
【請求項１１】
前記吐出板の周りを取り囲み、前記ハウジングに結合される枠部をさらに含み、
前記吐出板及び前記ポンプは、前記枠部に結合された状態で、前記ハウジングでヒンジ回転されることを特徴とする請求項９に記載の化粧品。
【請求項１２】
前記内容器は、
外面が前記枠部の内面にネジ結合方式でかみ合って着脱されることを特徴とする請求項１１に記載の化粧品。
【発明の詳細な説明】
【技術分野】
【０００１】
本発明は化粧品に関し、より詳細には内容物が吐出板に形成された複数個の吐出口を介して排出され、使用者がパフを利用して吐出板上の内容物をこすりつけて使用する化粧品に関する。
【背景技術】
【０００２】
一般的に広く利用されているファンデーション（ｆｏｕｎｄａｔｉｏｎ）などの固形や日焼け止め（ｓｕｎ  ｂｌｏｃｋ）などの液体は、肌を保護するとともに華やかにし、皺を改善するなどの効果のために使用される。このとき、使用者はパフ（ｐｕｆｆ）につけてから肌に塗る方法を用いることができる。
【０００３】
パフの場合、化粧品内に収納された状態で販売されてもよく、通常、パフなどは化粧品の蓋の内部に収容されていることができる。従って、使用者は内容物を使用するために、蓋を開けてパフを取り出し、パフに備えられた弾性紐などを指に挟んだ状態でパフを内容物に接触させることで、パフに所定量だけの内容物がつくようにすることができる。
【０００４】
このとき、使用者はパフを直接内容物に接触させなければならないため、使用者がパフを利用して内容物を加圧する圧力に応じて必要以上の内容物がパフに付き、パフが無駄遣いになるという問題がある。従って、最近では、スポンジなどに内容物を含浸させ、使用者がパフでスポンジを押すと、スポンジに染み込んでいた液体の内容物が排出されることによってパフに供給される方式が開発された。
【０００５】
しかし、このような従来の化粧品は、既存の問題点と同様に使用者がスポンジを押す圧力に応じてパフに必要以上の内容物がつくことがあり、また、使用者が誤って過度の圧力でスポンジを加圧すると、パフで肌に直接接触する面だけでなく、使用者の指に隣接する面まで内容物が付き、使用者に大きな不便をもたらすという問題がある。
【０００６】
その上、従来の場合、使用者はスポンジに含浸された内容物をパフにつけて顔などの肌に接触させて内容物を塗り、繰り返してパフを化粧料が含浸されたスポンジに押して接触させるが、このとき、肌に存在するウイルスやカビ、細菌などにより内容物に深刻な汚染が発生することがある。
【０００７】
この場合、内容物内において微生物は内容物を使い切るまで成長することによって内容物を継続的に汚染させ、ついには肌への刺激、肌のトラブル、肌のアレルギー、変臭などの問題をもたらすことになる。使用者がこのような不便を経験すると、化粧品の使用を避けるようになり、美容のために使用した化粧品がむしろ個人の衛生と肌のトラブルをもたらし、深刻な不満を抱くようになる。
【０００８】
このような微生物の汚染から逃れるように内容物を保管及び安全に使用するためには、内容物と外部の汚染源との接触を最小化する構造が望ましく、また、使用したい量だけを取って使用し、残りの内容物は安全に微生物の汚染なく保管状態が保持できる条件が必要である。
【０００９】
このような問題の解決と検討は深刻に解決されるべき問題であり、根本的な解決なしに内容物を美容目的で使用するよう推奨するのはむしろ深刻な肌への副作用を経験させることになる。
【先行技術文献】
【特許文献】
【００１０】
【特許文献１】登録特許公報第１０−１３５５３６４号（２０１４．０１．２３．公告）
【発明の概要】
【発明が解決しようとする課題】
【００１１】
本発明は上記のような従来技術の問題点を解決するために創出されたものであり、本発明の目的は使用者がパフを利用して内容物をこすりつける吐出板を設けて衛生性を確保することができる化粧品を提供することである。
【課題を解決するための手段】
【００１２】
本発明の一実施例による化粧品は、内容物を貯蔵する内容器と、上記内容器に結合されて内容物を排出するポンプと、上記ポンプから排出された内容物を外部に吐出する吐出口を有する吐出板と、上記内容器を取り囲み、上記吐出板を外部に露出させるハウジングと、を含み、上記吐出板及び上記ポンプは、互いに結合された状態で、上記ハウジングでヒンジ回転できるように設けられ、上記内容器は、上記吐出板及び上記ポンプがヒンジ回転するとき、上記ハウジングから上方に分離できるように設けられることを特徴とする。
【００１３】
具体的に、上記吐出口は複数個で設けられ、上記ポンプと上記吐出板の間に設けられ、上記ポンプから排出された内容物を拡散させて上記複数個の吐出口に伝達する拡散空間を有する拡散部をさらに含んでもよい。
【００１４】
具体的に、上記ハウジングは、底面に上記内容器を押し上げるための貫通口が設けられてもよい。
【００１５】
具体的に、上記内容器は、上記ポンプが取り付けられ、内容物が排出される通路である開口を有し、上記ポンプがヒンジ回転しながら上記開口が上記ポンプによって密閉または開放されてもよい。
【００１６】
具体的に、上記吐出板の周りを取り囲み、上記ハウジングに結合される枠部をさらに含み、上記吐出板及び上記ポンプは、上記枠部に結合された状態で、上記ハウジングでヒンジ回転されてもよい。
【００１７】
具体的に、上記ハウジングにヒンジ回転できるように設けられて上記吐出板を覆う蓋をさらに含み、上記吐出板及び上記ポンプを上記ハウジングでヒンジ回転させるヒンジ部は、上記蓋のヒンジ部とずれて配置されてもよい。
【００１８】
具体的に、上記ハウジングにヒンジ回転できるように設けられて上記吐出板を覆う蓋をさらに含み、上記吐出板及び上記ポンプを上記ハウジングでヒンジ回転させるヒンジ部は、上記蓋のヒンジ部と一体で設けられてもよい。
【００１９】
具体的に、上記内容器は、回転により上記ハウジングから上下に拘束されるか、上方に離脱できるように設けられる引っ掛け片を有することができる。
【００２０】
本発明の他の実施例による化粧品は、内容物を貯蔵する内容器と、上記内容器に結合されて内容物を排出するポンプと、上記ポンプから排出された内容物を外部に吐出する吐出口を有する吐出板と、上記内容器を取り囲み、上記吐出板を外部に露出させるハウジングと、を含み、上記吐出板及び上記ポンプは、互いに結合された状態で、上記ハウジングでヒンジ回転できるように設けられ、上記内容器は、上記吐出板及び上記ポンプのヒンジ回転により上記ハウジングから引き出されることを特徴とする。
【００２１】
具体的に、上記内容器は、上記ポンプが取り付けられ、内容物が排出される通路である開口を有し、上記開口が上記ポンプにネジ結合方式でかみ合って着脱されてもよい。
【００２２】
具体的に、上記吐出板の周りを取り囲み、上記ハウジングに結合される枠部をさらに含み、上記吐出板及び上記ポンプは、上記枠部に結合された状態で、上記ハウジングでヒンジ回転されてもよい。
【００２３】
具体的に、上記内容器は、外面が上記枠部の内面にネジ結合方式でかみ合って着脱されてもよい。
【発明の効果】
【００２４】
本発明による化粧品は、ポンプから排出される内容物が拡散されて吐出板の微細な吐出口を介して排出されるようにし、使用者は吐出板をパフでこすることで内容物をつけた後、吐出板を拭き取って露出した面を再びきれいにすることができるため、きれいな外観を確保するとともに、容易に清潔が保持できるという長所がある。
【図面の簡単な説明】
【００２５】
【図１】本発明の第１実施例による化粧品の斜視図である。
【図２】本発明の第１実施例による化粧品の分解斜視図である。
【図３】本発明の第１実施例による化粧品の断面図である。
【図４】本発明の第１実施例による化粧品の部分断面図である。
【図５】本発明の第１実施例による化粧品の断面図である。
【図６】本発明の第１実施例による化粧品の断面図である。
【図７】本発明の第１実施例による化粧品の断面図である。
【図８】本発明の第２実施例による化粧品から内容器が分離される様子を示す斜視図である。
【図９】本発明の第２実施例による化粧品から内容器が分離される様子を示す斜視図である。
【図１０】本発明の第３実施例による化粧品から内容器が分離される様子を示す斜視図である。
【図１１】本発明の第３実施例による化粧品から内容器が分離される様子を示す斜視図である。
【図１２】本発明の第４実施例による化粧品から内容器が分離される様子を示す斜視図である。
【図１３】本発明の第５実施例による化粧品から内容器が分離される様子を示す斜視図である。
【図１４】本発明の第６実施例による化粧品から内容器が分離される様子を示す斜視図である。
【図１５】本発明の第６実施例による化粧品の断面図である。
【図１６】本発明の第７実施例による化粧品から内容器が分離される様子を示す斜視図である。
【図１７】本発明の第７実施例による化粧品から内容器が分離される様子を示す斜視図である。
【図１８】本発明の第７実施例による化粧品から内容器が分離される様子を示す斜視図である。
【図１９】本発明の第８実施例による化粧品において内容器が取り替えられる様子を示す斜視図である。
【図２０】本発明の第８実施例による化粧品の分解図である。
【図２１】本発明の第９実施例による化粧品から内容器が分離される様子を示す斜視図である。
【図２２】本発明の第９実施例による化粧品から内容器が分離される様子を示す斜視図である。
【図２３】本発明の第１０実施例による化粧品の内容器を示す平面図である。
【図２４】本発明の第１０実施例による化粧品において内容器が取り替えられる様子を示す斜視図である。
【図２５】本発明の第１０実施例による化粧品の底面図である。
【図２６】本発明の第１１実施例による化粧品において内容物が詰め替えられる様子を示す斜視図である。
【図２７】本発明の第１１実施例による化粧品において内容物が詰め替えられる様子を示す断面図である。
【図２８】本発明の第１１実施例による化粧品において内容器が開放される様子を示す底面図である。
【図２９】本発明の第１１実施例による化粧品において内容物が詰め替えられる様子を示す斜視図である。
【図３０】本発明の第１１実施例による化粧品において内容物が詰め替えられる様子を示す斜視図である。
【発明を実施するための形態】
【００２６】
本発明の目的、特定の長所及び新規な特徴は、添付の図面に係わる以下の詳細な説明と好ましい実施例からさらに明らかになるだろう。本明細書において、各図面の構成要素に参照番号を付するにおいて、同じ構成要素に限ってはたとえ異なる図面上に表示されていても可能な限り同じ番号を付していることに留意すべきである。尚、本発明を説明するにあたり、係わる公知技術に対する具体的な説明が本発明の要旨を不要に不明確にすると判断される場合は、その詳細な説明を省略する。
【００２７】
以下、添付の図面を参照して本発明の好ましい実施例を詳細に説明する。
【００２８】
図１は本発明の第１実施例による化粧品の斜視図であり、図２は本発明の第１実施例による化粧品の分解斜視図であり、図３は本発明の第１実施例による化粧品の断面図である。
【００２９】
また、図４は本発明の第１実施例による化粧品の部分断面図であり、図５〜図７は本発明の第１実施例による化粧品の断面図である。
【００３０】
図１〜図７を参照すると、本発明の第１実施例による化粧品１は、内容器１０、エアレスポンプ２０、拡散部３０、吐出板４０、枠部５０、ハウジング６０、蓋７０を含む。
【００３１】
内容器１０は内容物Ｐを貯蔵する。内容器１０に貯蔵される内容物Ｐは液状であってもよいが、流動できるのであれば、パウダー状であってもよい。即ち、本明細書における内容物Ｐは、液状であるか、または固体が混合された液状などの多様な形状であってもよく、乳液や日焼け止めなどの多様な成分を有する組成物であってもよい。即ち、本発明は内容物Ｐの成分や状態、使用目的などを特に限定しない。
【００３２】
内容器１０は上側の少なくとも一部が開放され、開放された開口１１にエアレスポンプ２０が結合されてもよい。開口１１はポンプ２０が取り付けられ、内容物Ｐが排出される通路であって、内容器１０において凹んだ形状であるか、または内容器１０の上面に貫通された形状などであってもよく、開口１１にエアレスポンプ２０が結合されて開口１１は密閉されることができ、内容物Ｐはエアレスポンプ２０を通じて外部に吐出されるだけで、他の部分には漏れない。
【００３３】
内容器１０において内容物Ｐを収容する空間は、エアレスポンプ２０の作動によって内容物Ｐが排出されることで圧力が減少し、内容物Ｐが全て排出されると、理論的に内容器１０の内部は真空状態となって問題になる。
【００３４】
従って、内容器１０には内容物Ｐの排出による圧力変動を調整するために加圧板１２が設けられる。加圧板１２はエアレスポンプ２０による吐出方向と同じ方向または異なる方向に内容物Ｐを加圧する。
【００３５】
例えば、加圧板１２は、図３のように内容器１０の内部において内容物Ｐの上側に位置していてもよく、内容物Ｐが排出されることによって加圧板１２は下降する。このとき、内容器１０の上面には加圧板１２の下降のための空気流入口１２１が設けられ、内容物Ｐの排出が完了すると、加圧板１２は下側に位置する。
【００３６】
逆に、加圧板１２は、図５〜図７のように内容器１０の内部において内容物Ｐの下側に位置していてもよく、この場合、内容物Ｐが排出されることによって加圧板１２は上昇し、空気流入口１２１は内容器１０の下面に設けられることができる。このとき、内容物Ｐの排出が完了すると、加圧板１２は上側に位置する。
【００３７】
加圧板１２が下降する場合、開口１１は内容器１０の下側に形成されていてもよい。即ち、内容器１０は中央が開放されたドーナツ状に設けられ、中央の空いた空間である開口１１にエアレスポンプ２０が設けられ、開口１１の内壁のうち底は少なくとも一部分が内容器１０の内部に向かって貫通されていてもよい。この場合、エアレスポンプ２０が内容器１０に挿入される構造であるため、内容器１０とエアレスポンプ２０を結合した高さは内容器１０に比べてそれほど増加しない。
【００３８】
逆に、加圧板１２が上昇する場合、開口１１は内容器１０の上側に形成されてもよい。このとき、内容器１０は円板や円筒状に設けられ、上側に開口１１が形成され、開口１１にエアレスポンプ２０が設けられる。この場合、内容器１０の上にエアレスポンプ２０が結合される構造であるため、内容器１０とエアレスポンプ２０を結合した高さは各構成の高さの和とそれほど変わらない。
【００３９】
内容器１０の内容物Ｐを使い切ると、使用者は化粧品１を新たに購入するか、エアレスポンプ２０、内容器１０などの一部分だけを取り替えて使用することができる。これについては以下に詳しく説明する。
【００４０】
または、内容器１０は図４に示したように内部に小容器１３を備えてもよく、小容器１３だけを取り替えることができるように設けられてもよい。このとき、小容器１３は収縮しようとする復元力を有する材質からなって自然に収縮するパウチであるか、じゃばら構造を利用して内圧が減少すると、高さが減少するプリーツパウチであるか、または圧力缶などであってもよい。
【００４１】
このように、内容器１０が小容器１３を備える場合には加圧板１２は省略されてもよく、小容器１３は内容器１０から下側に分離されて取り替えられてもよい。このため、内容器１０の下側は開放された状態であってもよいが、内容器１０の下側が開放されていても小容器１３はハウジング６０によって覆われて保護されることができる。
【００４２】
または、内容器１０の下側にカバー１３１が設けられ、カバー１３１を分離すると、小容器１３が分離できるように露出されることができる。このとき、カバー１３１は様々な方法で内容器１０に着脱されることができるが、例えば、カバー１３１は薄い金属板からなり、縁が内側方向に曲がっている形状を有することができる。
【００４３】
金属板状のカバー１３１は、中央部分を押すと、内側に曲がっている縁が外側に広がるように変形されることができる。即ち、カバー１３１は縁がしぼんでいる第１形状から、外力によって縁が広がった第２形状に変わる金属板であってもよく、第１形状または第２形状を保持する金属板であってもよい。
【００４４】
従って、使用者は内容器１０のカバー１３１の中央部分を押してカバー１３１の縁を内容器１０の下端から離脱させた後、カバー１３１を内容器１０から分離し小容器１３を取り替えて使用することができる。
【００４５】
このとき、使用者は新しい小容器１３を内容器１０に入れた後、第２形状になっているカバー１３１を小容器１３の下側に位置させ、中央部分を押してカバー１３１を第１形状に変換させることができる。これにより、縁がしぼんでいる第１形状に戻ったカバー１３１により小容器１３は外部から隔離されることができる。
【００４６】
エアレスポンプ２０は内容器１０に貯蔵されている内容物Ｐを排出する。エアレスポンプ２０はシリンダー２１と中空のピストン２２を利用することができ、図３を参照してエアレスポンプ２０の作動について簡単に説明する。ちなみに、シリンダー２１などのエアレスポンプ２０の一部は開口１１に既に設けられていてもよい。
【００４７】
エアレスポンプ２０は後述する吐出板４０が下降すると、ピストン２２に結合されている昇降部材２３が押されてピストン２２が下降する。但し、シリンダー２１の内面に密着されているピストンリング２４は下降しないため、ピストン２２の外周面に形成された孔がピストンリング２４によって遮られてからピストンリング２４から外れてシリンダー２１の内部と連通される。
【００４８】
その後、昇降部材２３が下降し続けると、昇降部材２３によってピストンリング２４がさらに下降してシリンダー２１の内圧が上昇し、シリンダー２１の内部の内容物Ｐがピストン２２の内部に流入され、昇降部材２３を経て吐出板４０の吐出口４１に排出されることができる。このとき、ピストン２２の上端の中央はエアレスポンプ２０の出口となる。
【００４９】
吐出板４０に対する加圧が解除されると、バネなどの弾性部材２５によって昇降部材２３が上昇しながら、シリンダー２１との摩擦力によりピストン２２対比で下降するピストンリング２４がピストン２２の孔を密閉した後、ピストン２２のフランジによってピストン２２と一緒に上昇する。
【００５０】
このとき、ピストンリング２４が上昇すると、シリンダー２１の内圧が下降するため、内容器１０に貯蔵されている内容物Ｐは開口１１を通じてシリンダー２１の内部に流入される。
【００５１】
勿論、本発明はエアレスポンプ２０の構成を上記のように限定するものではなく、例えば、エアレスポンプ２０は昇降部材２３が省略され、後述する拡散部３０が直接ピストン２２に結合される構造などで備えられてもよい。この場合については図５〜図７を参照して説明する。
【００５２】
図５〜図７は、図３とは異なり、拡散部３０の中央部分がピストン２２と直接結合する構造を有することができる。また、図５〜図７は図３と比べると、弾性部材２５の形状や配置が異なる。
【００５３】
図３の場合、バネである弾性部材２５は上端が昇降部材２３と当接しており、下端が開口１１の内側の底部分（具体的にはエアレスポンプ２０の底の周り部分）に設けられて、少なくとも一部が開口１１の内側に位置することができる。
【００５４】
一方、図５〜図７の場合、弾性部材２５は上端が拡散部３０の下面に当接し、下端が内容器１０の上面に当接していることができる。この場合、内容器１０とエアレスポンプ２０が結合された状態での高さを減らす必要がある。従って、ピストン２２の周辺に３つの小さな螺旋状のバネを弾性部材２５として使用することができるが、この場合、組み立てが煩わしく、吐出板４０の水平下降が安定的ではない。
【００５５】
従って、本発明は、図５〜図７に示したように複数個の小さな螺旋状のバネの代わりに板状のバネ、合成樹脂からなり、ピストン２２の周辺を取り囲む１つの弾性部材２５を利用して化粧品１の全体の高さを減らすとともに、吐出板４０が水平を保持しながら安定的に昇降できるようにすることができる。
【００５６】
この場合、エアレスポンプ２０が内容器１０の内部の下端まで届く必要がなくなるため、化粧品１から内容器１０だけを分離することが比較的に容易になることができる。また、当該特徴は上述した図４の場合も同様である。
【００５７】
具体的に、図５では図３での螺旋状のバネの代わりに板状のバネを弾性部材２５として使用することができ、図６では弧状の断面を有し弾性のある合成樹脂を弾性部材２５として設け、図７では合成樹脂を螺旋状のバネのようにして弾性部材２５として使用することができる。
【００５８】
その他にも、本発明は制限されない多様な形状／材質の弾性部材２５を単独で使用し、エアレスポンプ２０が内容器１０に挿入された場合や内容器１０の上に取り付けられる場合の全てにおいて、吐出板４０の安定的な昇降を保障することができ、これにより内容物Ｐの漏れを防止することができる。
【００５９】
また、本発明において、エアレスポンプ２０はエアレスタイプではない一般的なポンプ２０に置き換えられてもよく、または、ポンプ２０ではない他の公知の排出手段を使用することもできる。または、内容器１０が自主的に排出機能を備える含浸スポンジなどである場合はポンプが省略されてもよい。
【００６０】
拡散部３０はエアレスポンプ２０から排出される内容物Ｐを水平方向に拡散させる。拡散部３０はエアレスポンプ２０と吐出板４０との間に設けられる構成であり、エアレスポンプ２０の出口と吐出板４０に設けられた吐出口４１とがずれているとき、エアレスポンプ２０から排出された内容物Ｐを吐出口４１に伝達する。
【００６１】
但し、エアレスポンプ２０の出口に比べて吐出口４１が外側に設けられていることがあるため、拡散部３０はエアレスポンプ２０から排出された内容物Ｐを外側方向に広がるようにして各吐出口４１から内容物Ｐがまんべんなく吐出されるようにすることができる。
【００６２】
拡散部３０はエアレスポンプ２０の出口と連通する排出口（符号不図示）と、排出口から吐出口４１に向かって拡張される拡散空間３１とを備えてもよい。このとき、拡散空間３１は単純な円板状であってもよく、または、図面のように、放射状の流路の形態であってもよい。その他にも制限されない様々な形態が可能である。
【００６３】
拡散部３０はエアレスポンプ２０から排出された内容物Ｐが拡散された後、吐出板４０の吐出口４１に吐出されるようにする構成であるが、拡散空間３１に内容物Ｐが全て満たされてからは、エアレスポンプ２０から内容物Ｐが拡散部３０に流入するとき拡散空間３１の内部の内圧が上がり、拡散空間３１に満たされていた内容物Ｐのうち吐出口４１の位置にある内容物Ｐが吐出口４１に排出されることができる。
【００６４】
拡散部３０は拡散空間３１の外側に内容物Ｐが抜け出ないようにパッキン部材３２を設けてもよいが、パッキン部材３２は図面に示したように拡散空間３１を取り囲む閉曲線またはリング状の弾性材質からなる構成であってもよい。
【００６５】
無論、パッキン部材３２を使用する代わりに、拡散部３０に後述する枠部５０を射出成形しながら吐出板４０を間に固定するか、拡散部３０と枠部５０とを接着する方法などにより、拡散部３０と吐出板４０の間が枠部５０でシーリングされるようにすることもでき、または、拡散部３０に吐出板４０の周りが直接接着されるようにすることもできる。即ち、拡散空間３１の外側への内容物Ｐの漏れを防止するのはパッキン部材３２などの多様な技術により具現されることができる。
【００６６】
吐出板４０はエアレスポンプ２０の外側に設けられ、エアレスポンプ２０から吐出されて拡散部３０で拡散された内容物Ｐを外部に露出させる。吐出板４０は複数個の吐出口４１を備えてもよく、吐出口４１は拡散空間３１に対応する位置に全て設けられ、放射状などの様々な形状で吐出板４０に配置されていてもよい。但し、吐出口４１がエアレスポンプ２０の出口と対応する個数（例えば１個）で設けられ、拡散部３０が省略されることも可能である。
【００６７】
吐出板４０はステンレスなどの金属からなってもよく、または非金属の多様な材質からなってもよい。例えば、吐出板４０はセラミック、ガラス、木、合成樹脂、天然樹脂などからなってもよい。
【００６８】
但し、吐出板４０は吐出口４１を介して吐出された内容物Ｐがパフにより吐出板４０の上面でこすられるとき、内容物Ｐによる摩耗が防止されるとともに吐出板４０を押してエアレスポンプ２０が円滑に作動できる程度の強度／硬度を有することができる。
【００６９】
吐出板４０に設けられる吐出口４１が拡散部３０の拡散空間３１にマッチングされるように、吐出板４０と拡散部３０には装着角度を制限する引っ掛かり部が設けられてもよい。例えば、引っ掛かり部は吐出板４０と拡散部３０の何れか１つに設けられた装着孔４２と、残りの１つで装着孔４２と対応する位置に設けられた装着突起３３と、を含んでもよい。
【００７０】
もちろん、拡散空間３１の形状（円形など）により吐出板４０の装着角度が制限されない場合、引っ掛かり部は省略可能である。
【００７１】
枠部５０は吐出板４０の周辺を取り囲むように設けられる。枠部５０は吐出板４０と拡散部３０を固定する内側枠部５１と、内側枠部５１の外側に設けられる外側枠部５２と、を含んでもよい。
【００７２】
内側枠部５１は嵌め合い結合などにより拡散部３０に嵌め込まれて吐出板４０と拡散部３０を密着固定することができ、または、射出などにより拡散部３０に設けられて吐出板４０と拡散部３０を密着させることができる。
【００７３】
エアレスポンプ２０を作動させるために吐出板４０が下降するとき、内側枠部５１は吐出板４０及び拡散部３０と一体で昇降する構造であるため、本明細書における内側枠部５１は吐出板４０及び／または拡散部３０と一体に設けられてもよい。
【００７４】
吐出板４０及び内側枠部５１はエアレスポンプ２０の作動のために下降するが、外側枠部５２は後述するハウジング６０に固定されて下降しないように設けられてもよい。このとき、内側枠部５１の安定的な下降のために、内側枠部５１と外側枠部５２が対向する部分には外側枠部５２の回転や揺れを防止することができる突起構造（符号不図示）が設けられてもよいことは言うまでもない。
【００７５】
ハウジング６０は内容器１０を固定する。ハウジング６０は内容器１０が内部に装着されるように引っ掛かり突起６１を備えてもよく、内容器１０は引っ掛かり突起６１に対応する段差などを備えて内容器１０がハウジング６０に挿入されると適切に固定されることができる。
【００７６】
但し、上述したように、内容器１０などは取り替えが必要になることがあるため、ハウジング６０は底に貫通口６２を備えて内容器１０の底を外部に露出させることができ、使用者が貫通口６２を介して内容器１０を押し上げると、内容器１０とエアレスポンプ２０、拡散部３０、吐出板４０などを一体で取り替えることができる。
【００７７】
ハウジング６０の上側には外側枠部５２が結合されてもよいが、外側枠部５２がなくてもハウジング６０の形状によって吐出板４０が上方に抜けられず吐出板４０の下降が水平を保持できるのであれば、外側枠部５２はいくらでも省略できる。
【００７８】
蓋７０は、ハウジング６０の上方を開閉するように設けられて吐出板４０を密閉または外部に露出させる。蓋７０はハウジング６０にヒンジ結合、ネジ結合などで連結されるか、連結されずに着脱されてもよく、蓋７０の内面には鏡（符号不図示）が設けられて使用者は蓋７０を開けて鏡を見ながら化粧することができる。
【００７９】
蓋７０がヒンジ結合される場合、ハウジング６０においてヒンジ部７１の反対側にはボタン（符号不図示）及び掛金（符号不図示）が設けられてもよく、蓋７０においてヒンジ部７１の反対側には引っ掛かり突起（符号不図示）が設けられて、ボタンを押すと、掛金が引っ掛かり突起から離脱しながらヒンジ部７１の弾性力によって蓋７０が自動的に開放されることができる。
【００８０】
蓋７０は吐出板４０を密閉するとともに、吐出板４０の上に保管されることができるパフを外部から保護することができる。このとき、蓋７０はパフを外部と完全に隔離させないことがあるが、これはパフによって吐出口４１が塞がりポンプ２０内部は既に隔離された状態になるからである。
【００８１】
以下では、本発明において、内容器１０の取り替えや内容物Ｐの詰め替えなどを可能にする実施例を詳細に説明する。
【００８２】
図８及び図９は本発明の第２実施例による化粧品から内容器が分離される様子を示す斜視図である。
【００８３】
以下では、本実施例が他の実施例と比べて異なる点を中心に説明し、説明を省略する部分は上述した内容に代える。これは以下の実施例においても同様である。
【００８４】
図８及び図９を参照すると、本実施例は内容器１０がポンプ２０から分離できるように設けられる。但し、上述した実施例も内容器１０の開口１１からポンプ２０が分離されて内容器１０とポンプ２０が分離されるが、本実施例は、ポンプ２０がハウジング６０に結合された状態で内容器１０をポンプ２０から分離することができるという点で相違する。
【００８５】
具体的に、本実施例は、吐出板４０と拡散部３０、ポンプ２０及び枠部５０がハウジング６０に結合された状態で、内容器１０がポンプ２０から分離できるように設けられる。このため、ハウジング６０は底面に内容器１０を引き出すことができる大きさの貫通口６２が設けられ、内容器１０は外面がハウジング６０の内面にネジ結合方式でかみ合い着脱される。
【００８６】
但し、上述した実施例も貫通口６２を備えているが、上述した実施例における貫通口６２は内容器１０を上方に押し上げて内容器１０、ポンプ２０、拡散部３０、吐出板４０、内側枠部５１を一度に取り替える方式であるが、本実施例は貫通口６２を通じて内容器１０が下方に引き出されて内容器１０だけが取り替えられる方式である。
【００８７】
特に上述した実施例と異なり、本実施例における内容器１０は、使用者が把持しハウジング６０に対して回転させられるように下端がハウジング６０の下側に突出している。従って、使用者はハウジング６０の下側に突出した内容器１０の下端を把持し内容器１０を回転させることで、内容器１０のネジ山１４とハウジング６０のネジ山６３とのネジ結合を解除させて内容器１０が貫通口６２から抜け出るようにする。
【００８８】
内容器１０が貫通口６２を通じて引き出されると、内容器１０の開口１１はポンプ２０と分離されて開放されることができるが、但し、内容器１０の開口１１はポンプ２０による排出なしには排出が遮断されるバルブ（符号不図示）を備えるか、内容物Ｐがポンプ２０によってのみ排出できる粘度であるなどして、分離された内容器１０は内容物Ｐが漏れないようにすることができる。
【００８９】
逆に、新しい内容器１０がハウジング６０の貫通口６２に挿入されてから回転されてハウジング６０にネジ結合されることで、内容器１０の開口１１はポンプ２０によって密閉される。この場合、開口１１とポンプ２０は結合時に密閉力を十分に保持できる構造が用いられることができる。
【００９０】
このように、本実施例は、ポンプ２０、拡散部３０、吐出板４０などは取り替えずに内容器１０だけを取り替えることができるように設けて、金属吐出板４０などの交換が必要ないため、取り替え費用を節減することにより、消費者の満足度を上げることができる。
【００９１】
また、本実施例は、ポンプ２０などがハウジング６０に固定された状態で内容器１０だけがハウジング６０の下側から取り替えられるようにして、取り替える部分を最小化するとともに、簡単かつ便利な内容器１０の取り替えを具現することができる。
【００９２】
図１０及び図１１は、本発明の第３実施例による化粧品から内容器が分離される様子を示す斜視図である。
【００９３】
図１０及び図１１を参照すると、本発明の第３実施例による化粧品１は、上述した第２実施例と類似して、内容器１０がハウジング６０の下側から取り替えられるように設けるとともに、ネジ結合方式の代わりに引っ掛かり方式を用いることができる。
【００９４】
本実施例もハウジング６０の底面の貫通口６２は内容器１０を引き出すことができるように設けられるが、内容器１０は貫通口６２に着脱できるように設けられるカバー部１５を有する。
【００９５】
このとき、カバー部１５はハウジング６０に対して回転してハウジング６０に結合された状態またはハウジング６０から分離可能な状態になることができる。このため、カバー部１５は、ハウジング６０に結合された状態を保持するための引っ掛かり部１５２を備え、一方、ハウジング６０はカバー部１５が一定角度になったとき引っ掛かり部１５２が貫通してカバー部１５が分離されるようにする引き出し溝６４を有する。
【００９６】
従って、カバー部１５が一定角度回転して引っ掛かり部１５２が引き出し溝６４から外れた位置になると、カバー部１５は内容器１０を引き出すことができないように貫通口６２を密閉する。一方で、カバー部１５が一定角度回転して引っ掛かり部１５２が引き出し溝６４に対応する位置になると、カバー部１５は貫通口６２を開放して内容器１０を引き出すことができるようになる。
【００９７】
但し、カバー部１５がどのような状態なのかを使用者が簡単に確認できるように、図１０に示したようにカバー部１５にはカバー部１５の状態を表示するための表示部１５１が一側に設けられてもよい。従って、使用者はカバー部１５の表示部１５１を活用して、カバー部１５が現在貫通口６２を開放できる状態なのか、それとも貫通口６２を密閉している状態なのかを確認し、内容器１０の取り替えを行うことができる。
【００９８】
また、図１１に示したように、カバー部１５はコインなどを利用して回転させられるように、コイン挿入溝（符号不図示）を備えてもよいが、コインの他にも指などで容易に回転させられるようにする様々な構造を制限なく適用することができる。
【００９９】
本実施例は、カバー部１５が貫通口６２を開放すると、内容器１０が下方に抜けることができる。このとき、内容器１０は特に引っ掛かることなく、重力によってハウジング６０から離脱される構造で設けられるか、または使用者が内容器１０を引っ張ると、スムーズにハウジング６０から分離される構造で設けられてもよい。
【０１００】
または、上述した実施例の構造が適用され、本実施例はカバー部１５を分離した後露出される内容器１０の下端を回転させてハウジング６０から内容器１０が分離されるようにすることができ、この場合、カバー部１５は内容器１０の下端を覆う皿状に設けられてハウジング６０に結合されていてもよい。
【０１０１】
但し、カバー部１５が分離されても内容器１０の下端がハウジング６０の下方に露出しないように設けられるとき、内容器１０の開口１１とポンプ２０との結合力により内容器１０を分離するためには内容器１０を引っ張る必要があるのであれば、使用者は吐出板４０を押して内容器１０が貫通口６２に突出するようにして内容器１０を把持することができる。
【０１０２】
カバー部１５が除去された状態では内容器１０の下方の動きが制限されないが、このとき吐出板４０が押されると、内容物Ｐのポンピングが行われず、吐出板４０と拡散部３０、ポンプ２０が内容器１０を下に押し下げる方向に動くようになるからである。
【０１０３】
このように、本実施例は、ハウジング６０の貫通口６２をカバー部１５で開閉し、カバー部１５によって開放された貫通口６２を介して内容器１０が取り替えられるようにすることができ、但し、上述した実施例などにおいても同様に、内容器１０を取り替えるとき、開口１１とポンプ２０との間では漏れることなく十分な密閉力を具現することができる。
【０１０４】
図１２は本発明の第４実施例による化粧品から内容器が分離される様子を示す斜視図である。
【０１０５】
図１２を参照すると、本発明の第４実施例による化粧品１は、枠部５０を活用して内容器１０の分離を具現することができる。
【０１０６】
枠部５０は内容器１０に引っ掛かる掛金５３と掛金５３を動かすボタン５４を有する。掛金５３とボタン５４は特に外側枠部５２に設けられていてもよく、ボタン５４が使用者によって押されると、掛金５３は内側方向に動くことができる。
【０１０７】
一方、内容器１０は掛金５３と引っ掛かる引っ掛かり突起１６を備えてもよい。引っ掛かり突起１６はボタン５４の加圧がない状態における掛金５３に引っ掛かり、内容器１０の下降を阻止することができ、ボタン５４が加圧されて掛金５３が内側に動くと、引っ掛かり突起１６は掛金５３とずれるようになり内容器１０の下降を許容することができる。
【０１０８】
即ち、本実施例は、内容器１０をハウジング６０に締結するか、ハウジング６０の貫通口６２から分離するために、内容器１０の引っ掛かり突起１６と枠部５０の掛金５３の間の結合構造を使用することができ、このような結合構造は枠部５０のボタン５４によって結合が解除されることができる。
【０１０９】
従って、使用者は、ハウジング６０の上側に突出している外側枠部５２に設けられたボタン５４を押して、掛金５３が内容器１０の引っ掛かり突起１６から離脱するようにして内容器１０の分離される方向への動きを許容することができる。
【０１１０】
このとき、ボタン５４及び掛金５３は内容器１０の安定的な締結のために、外側枠部５２に放射状に複数個設けられてもよく、内容器１０の引っ掛かり突起１６は内容物Ｐの収容空間を干渉しない多様な位置に設けられてもよい。
【０１１１】
また、ボタン５４と掛金５３は一体で設けられ、ボタン５４の両側にボタン５４を外側方向に押し出す弾性羽根（不図示）が設けられて、ボタン５４を加圧しないと、弾性羽根の弾性力によって掛金５３は外側方向に復元されながら内容器１０の締結を保持する位置に配置されることができる。
【０１１２】
このように、本実施例は、ハウジング６０から内容器１０を分離するとき、化粧品１をひっくり返して内容器１０を把持するか、カバー部１５を回転させる必要がなく、枠部５０に設けられたボタン５４を押したままハウジング６０を持ち上げると、内容器１０だけが下に抜けるようにし、内容器１０の取り替えの利便性を大幅に向上させることができる。
【０１１３】
図１３は本発明の第５実施例による化粧品から内容器が分離される様子を示す斜視図である。
【０１１４】
図１３を参照すると、本発明の第５実施例による化粧品１は、吐出板４０及びポンプ２０が枠部５０に結合された状態で、ポンプ２０から分離できるように設けられてもよい。
【０１１５】
この場合、上述した第２実施例とは異なり、吐出板４０、拡散部３０、ポンプ２０及び枠部５０が内容器１０と結合された状態でハウジング６０から分離された後、内容器１０がポンプ２０から分離されるものであってもよい。
【０１１６】
本実施例における内容器１０は、吐出板４０と拡散部３０及びポンプ２０を再利用することができるようにポンプ２０から取り替えられるように設けられてもよく、例えば、図１３の（Ａ）に示したように内容器１０は外面のネジ山１４が枠部５０の内面のネジ山（符号不図示）にネジ結合方式でかみ合って着脱されてもよい。
【０１１７】
このとき、開口１１とポンプ２０は内容器１０と外側枠部５２とのネジ結合の程度によって密閉力が解除または具現されることができる。また、ネジ結合するとき、内容器１０が一定角度以上に回転すると、突起が引っ掛かり突起を乗り超えてネジ結合がロックされる構造が用いられてもよく、この場合、上述した表示部１５１が類似するように枠部５０などに適用されることができる。
【０１１８】
一方、図１３の（Ｂ）に示したように、内容器１０は開口１１がポンプ２０にネジ結合方式でかみ合って着脱されてもよい。即ち、内容器１０の開口１１においてポンプ２０と対向する一面（例えば、内面）とポンプ２０において開口１１と対向する一面（例えば、外面）にはそれぞれネジ山１１２、２６が設けられてもよい。
【０１１９】
この場合も引っ掛かり突起を使用しながら表示部１５１を適用することができ、枠部５０は内容器１０の周りを取り囲むだけで内容器１０と直接結合しないことができる。
【０１２０】
但し、図１３の（Ａ）と（Ｂ）が組み合わさって、内容器１０の初期回転は内容器１０と枠部５０とのネジ結合により行われ、内容器１０の最終微回転は内容器１０とポンプ２０とのネジ結合により行われてもよい。前者の場合は内容器１０の着脱のために、後者の場合は内容器１０とポンプ２０との密閉のために使用されてもよく、前者と後者におけるネジ山１４、１１２の間隔は異なってもよい。
【０１２１】
このように、本実施例は、吐出板４０などがハウジング６０から分離できるように設けられる場合も内容器１０だけを容易に取り替えられるようにするが、ネジ結合方式を利用してポンプ２０と開口１１との密閉を保障することができる。
【０１２２】
図１４は本発明の第６実施例による化粧品から内容器が分離される様子を示す斜視図であり、図１５は本発明の第６実施例による化粧品の断面図である。
【０１２３】
図１４及び図１５を参照すると、本発明の第６実施例による化粧品１は、上述した第４実施例において枠部５０に適用されたボタン５４が活用されてもよい。但し、本実施例のボタン５４はハウジング６０によって隠れており、枠部５０をハウジング６０から分離したときに外部に露出されることができる。
【０１２４】
第４実施例と比べて、本実施例は、吐出板４０と拡散部３０及びポンプ２０が結合された枠部５０をハウジング６０から分離した後、枠部５０に設けられたボタン５４を押して枠部５０の掛金５３から内容器１０の引っ掛かり突起１６が離脱されるようにして内容器１０が枠部５０から分離されるようにすることができる。
【０１２５】
このとき、掛金５３や引っ掛かり突起１６などに関する内容は上述した第４実施例の説明に代える。但し、本実施例において、ボタン５４の加圧有無に応じて内容器１０がポンプ２０から分離または締結されるようにするとき、開口１１とポンプ２０との密閉力を保障するために、図１５の（Ａ）に示したように開口１１とポンプ２０が締まりばめやかみ合い構造などで締結されてもよい。
【０１２６】
または、図１５の（Ｂ）に示したように、内容器１０の開口１１にはシーリング部材１１１が使用されてもよく、シーリング部材１１１は開口１１においてポンプ２０と対向する一面（例えば、内面）に配置されてもよい。
【０１２７】
シーリング部材１１１はＯリングなどの部材であってもよく、内容器１０がポンプ２０に結合されると、圧縮によって密閉力を具現することができるが、シーリング部材１１１の形状や材質などは特に限定されない。
【０１２８】
シーリング部材１１１を使用する場合、ボタン５４を押すだけでは内容器１０が分離されないため、使用者はボタン５４を押した状態で内容器１０を引っ張ることで枠部５０から内容器１０を分離することができる。
【０１２９】
逆に、新しい内容器１０をポンプ２０に結合すると、シーリング部材１１１がポンプ２０と開口１１の間に装着されることで開口１１がポンプ２０によって十分に密閉されることができ、新しい内容器１０の引っ掛かり突起１６が枠部５０の掛金５３に引っ掛かり、掛金５３はボタン５４によって引っ掛かり突起１６と引っ掛かった状態を保持しようとするため、内容器１０が安定的に締結されていることができる。
【０１３０】
このように、本実施例は、ハウジング６０から枠部５０と内容器１０などが分離された後、内容器１０をポンプ２０から分離するとき、枠部５０のボタン５４を押さないと、内容器１０がポンプ２０から分離できないようにして内容器１０が不要にポンプ２０から抜けないようにするとともに、簡単な方法で内容器１０とポンプ２０の締結及び分離を具現することができる。
【０１３１】
図１６〜図１８は本発明の第７実施例による化粧品から内容器が分離される様子を示す斜視図である。
【０１３２】
まず、図１６及び図１７を参照すると、本発明の第７実施例による化粧品１は、吐出板４０と拡散部３０及びポンプ２０が互いに結合された状態で、ハウジング６０でヒンジ回転できるように設けられる。
【０１３３】
このため、吐出板４０と拡散部３０などを締結する枠部５０がハウジング６０にヒンジ部５５でヒンジ結合されていてもよく、枠部５０をヒンジ回転させると、枠部５０に設けられる吐出板４０とポンプ２０が一体でヒンジ回転することで、ハウジング６０には内容器１０だけが結合された状態になることができる。
【０１３４】
このとき、内容器１０は、吐出板４０及びポンプ２０がヒンジ回転された状態で、貫通口６２を通じて内容器１０を指で押し上げるなどの動作によりハウジング６０から上方に分離できるように設けられる。
【０１３５】
従って、本実施例は、上述した第２実施例などとは異なり、内容器１０がハウジング６０の下方ではない上方に取り替えられる方式であってもよい。このとき、内容器１０は特に引っ掛かることなく、ハウジング６０から上方に分離されることができ、または、図１７に示したように内容器１０の回転が先行されなければならないこともある。
【０１３６】
図１７を参照すると、内容器１０には引っ掛け片１７が設けられてもよく、引っ掛け片１７は内容器１０が水平方向に回転しながらハウジング６０に引っ掛かるかまたはハウジング６０引っ掛からないように設けられる。このため、ハウジング６０は引っ掛け片１７の上方を制限的に露出させるか、またはカバーする構造を有することができる。
【０１３７】
即ち、図１７によると、使用者が吐出板４０などを枠部５０のヒンジ回転により開けてポンプ２０が内容器１０から分離されるようにしたとき、内容器１０が回転しないと、引っ掛け片１７の少なくとも一部がハウジング６０において上下に拘束されて内容器１０の上方の動きが制限され、内容器１０が回転すると、引っ掛け片１７全体がハウジング６０から上方に離脱できるように設けられて内容器１０の上方の動きが許容される。
【０１３８】
従って、図１７の左側に示したように、使用者は吐出板４０とポンプ２０などをヒンジ回転させた後、内容器１０を一定角度回してからハウジング６０の上方に引き出すことができ、逆に、図１７の右側に示したように、新しい内容器１０を挿入してから回して引っ掛け片１７がハウジング６０によって拘束された状態になるようにすることができる。
【０１３９】
勿論、ハウジング６０には内容器１０の装着固定のための引っ掛かり突起６１が設けられているため、引っ掛け片１７は省略されてもよく、また、引っ掛け片１７の代わりにネジ結合方式などが適用されることもできる。
【０１４０】
ポンプ２０が開口１１に結合された状態で内容器１０を除くポンプ２０などがヒンジ回転できるようにするために、ポンプ２０において開口１１に結合される部分の高さは十分に低くてもよい。
【０１４１】
例えば、本実施例は、図３におけるポンプ２０と開口１１の結合構造ではなく、図５などにおけるポンプ２０と開口１１の結合構造を用いることができる。
【０１４２】
逆に、ヒンジ回転によってポンプ２０が開口１１に十分に密閉結合されるように、開口１１には上述したシーリング部材１１１が適用されてもよい。従って、開口１１はポンプ２０がヒンジ回転することでポンプ２０によって密閉または開放されることができる。
【０１４３】
吐出板４０と拡散部３０及びポンプ２０をハウジング６０でヒンジ回転させる枠部５０は、ハウジング６０にヒンジ部５５によりヒンジ結合されていてもよいが、このとき、ヒンジ部５５はピンを用いる構造であるか、蝶ヒンジなどのようにピンなしに形状そのものがヒンジ回転を具現する構造などであってもよい。
【０１４４】
また、ハウジング６０には蓋７０の回転のためのヒンジ部７１がさらに設けられるが、枠部５０のヒンジ部５５は、図１６の（Ａ）に示したように蓋７０のヒンジ部７１とは違う角度にずれて配置されてもよい。
【０１４５】
従って、吐出板４０とポンプ２０の回転方向は、平面からみると、例えば、蓋７０の回転方向と９０度などの角度を有するように設けられてもよい。
【０１４６】
一方、図１６の（Ｂ）に示したように枠部５０のヒンジ部５５は蓋７０のヒンジ部７１と同じ角度に重なるように配置されてもよく、枠部５０のヒンジ部５５と蓋７０のヒンジ部７１がピンを共有するなどの方法で一体に設けられてもよい。
【０１４７】
但し、蓋７０を開ける動作は内容物Ｐの使用のためものであり、吐出板４０などを回転させる動作は内容器１０の取り替えのためのものであり、互いに違う時間に行われなければならないので、蓋７０を開けるときに枠部５０が回転しないように、２つのヒンジ部５５、７１は重なって配置されるか、一体に設けられても、互いの回転を干渉しないように設けられることができる。
【０１４８】
上とは異なり、図１８を参照すると、本実施例の内容器１０は、吐出板４０及びポンプ２０がヒンジ回転するとき、ポンプ２０に結合された状態でヒンジ回転されてもよい。従って、内容器１０は吐出板４０などのヒンジ回転によってハウジング６０から上方に引き出されることができる。
【０１４９】
但し、内容器１０が一定高さの円筒状である場合、内容器１０がハウジング６０でヒンジ回転しながら引き出されるのはハウジング６０により干渉される可能性がある。従って、内容器１０は少なくともヒンジ部５５の反対側がハウジング６０から引き出せるように傾斜面を有する形状であるか、ヒンジ回転に問題のない低い高さの円板状であってもよい。
【０１５０】
吐出板４０などと一緒にヒンジ回転しながらハウジング６０から引き出された内容器１０は、ポンプ２０から簡単に分離されて取り替えることができる。このとき、内容器１０は、上述した第５実施例における内容と同様に、開口１１がポンプ２０にネジ結合方式でかみ合って着脱されるか、外面が枠部５０の内面にネジ結合方式でかみ合って着脱されることができる。
【０１５１】
勿論、第６実施例におけるボタン５４構造も使用することができ、単にシーリング部材１１１により内容器１０がポンプ２０に嵌め込まれてから使用者が内容器１０を引っ張ることで分離することもできる。
【０１５２】
このように、本実施例は、吐出板４０とポンプ２０などがハウジング６０においてヒンジ回転しながらポンプ２０と内容器１０が分離された後、内容器１０がハウジング６０上方に分離されるようにするか、吐出板４０などがヒンジ回転するとき、内容器１０がハウジング６０から上方に引き出されるようにして、内容器１０とポンプ２０の結合をより容易に解除させることができる。
【０１５３】
図１９は本発明の第８実施例による化粧品において内容器が取り替えられる様子を示す斜視図であり、図２０は本発明の第８実施例による化粧品の分解図である。
【０１５４】
図１９及び図２０を参照すると、本発明の第８実施例による化粧品１は、ハウジング６０に設けられる帯部材６５を活用して内容器１０の分離を具現することができる。
【０１５５】
具体的に、ハウジング６０は切り取り可能な帯部材６５により内容器１０が結合されるようにする。このとき、帯部材６５は切り取り線を基準として上部と下部に分けられてもよく、上部はハウジング６０に嵌められるなどして比較的強固に結合され、下部は内容器１０と締結されていてもよい。
【０１５６】
図１９に示したように、帯部材６５の下部はハウジング６０と内容器１０の間の隙間を通じて外部に露出されていてもよく、帯部材６５の上部はハウジング６０内に嵌められてハウジング６０に固定されていてもよい。
【０１５７】
このとき、図１９の右上のように、使用者が帯部材６５の下部の端を引っ張ると、帯部材６５の下部は帯部材６５の上部から切り取られる。このとき、切り取り線は点線などであってもよいが、切り取ることができるのであればその形状を特に限定しない。
【０１５８】
帯部材６５の下部が十分に切り取られると、内容器１０はハウジング６０に固定された帯部材６５から分離されることができる。内容器１０において帯部材６５により取り囲まれる周りには図２０に示したように丸枠１８が設けられ、帯部材６５の下部は丸枠１８を取り囲んで内容器１０の下方の動きを拘束することができる。
【０１５９】
このとき、帯部材６５の上部はハウジング６０に固定されたまま帯部材６５の下部が内容器１０から剥がれることで、帯部材６５によって隠れていた丸枠１８が帯部材６５から十分に離脱することにより、帯部材６５を基準として内容器１０の下降が許容されることができる。
【０１６０】
ここで、丸枠１８はリング状であるか、１つ以上の連続的／非連続的な円弧状などであってもよいが、切り取り線と同様に丸枠１８の形状は特に限定されない。
【０１６１】
または、本実施例は、上とは異なる方式で、帯部材６５を切り取るとき、帯部材６５の下部を使用者が十分に引っ張ると、ハウジング６０に固定されていた帯部材６５の上部の締結が強制的に解除されて帯部材６５の全体がハウジング６０から離脱され、これにより、内容器１０がハウジング６０から分離されることができる。
【０１６２】
この場合、丸枠１８は省略されてもよく、帯部材６５は内容器１０に締結された状態を継続的に保持する構造で設けられてもよい。但し、帯部材６５の下部が帯部材６５をハウジング６０から分離する把持部として活用されることができる。
【０１６３】
このとき、帯部材６５の上部とハウジング６０との締結力は、切り取られた帯部材６５の下部を引っ張る動作ではなく、内容器１０を把持した状態で内容器１０を引っ張る動作では分離しにくい程度であることができるが、締結構造は制限されない。
【０１６４】
従って、図１９を再び参照すると、左上の状態から右上の状態に帯部材６５が切り取られ、右下の状態のように帯部材６５の下部から内容器１０が分離されることができる。但し、この場合も、新しい内容器１０の装着のために、ハウジング６０に固定されている帯部材６５の上部は帯部材６５の下部が引っ張られてハウジング６０から除去されることができる。
【０１６５】
その後、図１９の左下のように帯部材６５が設けられている新しい内容器１０が、帯部材６５が除去された状態のハウジング６０に締結されて、図１９の左上の状態に復元される。このとき、帯部材６５の上部はハウジング６０に締まりばめされて挿入され、ハウジング６０から引き出されないくさび構造の断面などを有することができる。
【０１６６】
但し、帯部材６５の下部と固定される部分は、第３実施例で説明した内容器１０のカバー部１５であってもよい。従って、帯部材６５を切り取ることでカバー部１５がハウジング６０から分離された後、内容器１０がハウジング６０から引き出される方式で内容器１０が取り替えられてもよい。
【０１６７】
このように、本実施例は、帯部材６５の切り取りを利用して内容器１０の詰め替えが可能な構造にすることにより、内容器１０を詰め替えるとき、帯部材６５が切り取られる音と触感を通じて楽しみを与えることができる。
【０１６８】
図２１及び図２２は本発明の第９実施例による化粧品から内容器が分離される様子を示す斜視図である。
【０１６９】
図２１及び図２２を参照すると、本発明の第９実施例による化粧品１は、蓋７０を利用して内容器１０の分離を補助することができる。
【０１７０】
具体的に、本実施例は、図２１に示したように蓋７０が回転しながら枠部５０をハウジング６０から分離することができ、このとき、蓋７０にはヒンジ部７１またはヒンジ部７１に隣接する位置にプッシュ部７１１が設けられてもよい。
【０１７１】
枠部５０は引っ掛かり突起５６、６６を利用してハウジング６０に締結されるが、プッシュ部７１１は蓋７０の回転により枠部５０またはハウジング６０に設けられる引っ掛かり突起５６、６６を変形させることで、ハウジング６０に対する枠部５０の締結を解除することができる。
【０１７２】
勿論、枠部５０をハウジング６０から分離する蓋７０の回転角度は、蓋７０が吐出板４０を露出させるために回転する角度より大きくてもよい。即ち、蓋７０が第１段階で回転すると、吐出板４０が露出されて内容物Ｐの使用が可能となり、蓋７０が第２段階でさらに回転すると枠部５０がハウジング６０から分離できるようになってもよい。このとき、蓋７０の回転段階はヒンジ部７１に引っ掛かる構造を設けてカチッという音と触感により使用者に知らせることができる。
【０１７３】
図２１の上側に示したように、蓋７０が２段階の角度で回転すると、プッシュ部７１１はハウジング６０に設けられた引っ掛かり突起６６を内側に押して変形させるようになる。従って、ハウジング６０の引っ掛かり突起６６が枠部５０の引っ掛かり突起５６から離隔されて枠部５０がハウジング６０から上方に抜け出ることができる。
【０１７４】
一方、図２１の下側に示したように蓋７０が２段階の角度で回転すると、プッシュ部７１１は枠部５０の引っ掛かり突起５６に引っ掛かって枠部５０の引っ掛かり突起５６を外側に引っ張って変形させるようになる。従って、上の場合と同様に、ハウジング６０と枠部５０間の引っ掛かり突起５６の引っ掛けが解除されて枠部５０が分離できるようになるが、但し、この場合はプッシュ部７１１が枠部５０を僅かに持ち上げるようになることがある。
【０１７５】
蓋７０を通じて枠部５０をハウジング６０から分離できるようにした後、使用者は枠部５０を持ち上げてハウジング６０から引き出すことができ、このとき、枠部５０には吐出板４０、拡散部３０、ポンプ２０、そして内容器１０が結合された状態であってもよい。このとき、内容器１０がポンプ２０から分離されて取り替えられるのは、上述した他の実施例で十分に説明した通りなので、詳細な説明は省略する。
【０１７６】
図２１とは異なり、図２２の場合、蓋７０は２段階回転によって内容器１０をハウジング６０から分離させることができる。このため、内容器１０はハウジング６０との締結を解除する加圧部１６１を備えてもよく、蓋７０は回転によって加圧部１６１を押して内容器１０をハウジング６０から分離することができる。
【０１７７】
具体的に、内容器１０はハウジング６０に締結される引っ掛かり突起１６を有し、引っ掛かり突起１６は加圧部１６１が押される方向に移動するように加圧部１６１と一体で設けられてもよい。このとき、加圧部１６１はハウジング６０の下端において外側に露出しており、特に蓋７０のヒンジ部７１と上下に並んだ位置（下側）に配置されるが、蓋７０が２段階回転すると、蓋７０の側面が加圧部１６１を内側に押すことができる。
【０１７８】
この場合、内容器１０の引っ掛かり突起１６も内側に移動するように変形されることにより、ハウジング６０に対する引っ掛かり突起１６の締結が解除される。従って、内容器１０はハウジング６０から下側に分離されることができる。
【０１７９】
但し、第３実施例のように、内容器１０は加圧部１６１を有するカバー部１５を含む形状に設けられてもよく、蓋７０を回転させてカバー部１５を貫通口６２から分離した後、内容器１０をハウジング６０から引き出すことも可能である。
【０１８０】
このように、本実施例は蓋７０の追加的な回転によって内容器１０の分離を補助することができるため、大した力をかけなくても内容器１０の引き出しが可能である。
【０１８１】
特に、ハウジング６０の引っ掛かり突起６１に内容器１０が嵌め込まれているとき、貫通口６２から内容器１０を押し上げるのは女性使用者にしては大変で、難しいかもしれないが、本実施例は蓋７０のヒンジ回転力を利用するため、簡単に枠部５０の離脱及び内容器１０の取り替えが可能であり、使用者の満足度を上げることができる。
【０１８２】
図２３は本発明の第１０実施例による化粧品の内容器を示す平面図であり、図２４は本発明の第１０実施例による化粧品において内容器が取り替えられる様子を示す斜視図であり、図２５は本発明の第１０実施例による化粧品の底面図である。
【０１８３】
図２３〜図２５を参照すると、本発明の第１０実施例による化粧品１は、内容器１０が加圧板１２の代わりに一定体積の液体または小さいボールなどの形状で設けられる密閉体Ｓを備えるように設けられる。密閉体Ｓとして固体のソフトボールを利用する場合は、液体を使用する場合に比べて内容物Ｐとの混合問題が生じないため、内容物Ｐに対する安定性を保障することができる。
【０１８４】
内容器１０は内容物Ｐが充填されるホース１９１が有することができ、ホース１９１の一側からは内容物Ｐが排出され、他側には内容物Ｐを押し出す密閉体Ｓが充填されていてもよい。密閉体Ｓは内容物Ｐが排出されることによって自然な流れで一側に向かって移動しながら内容物Ｐの体積を減少させるようになり、内容器１０の内部の圧力平衡を保持する。
【０１８５】
内容器１０から内容物Ｐが排出される一側にはノズル１９が設けられる。ノズル１９はポンプと連結される構成であって、ホース１９１の一側から排出される内容物Ｐをポンプに伝達することができる。
【０１８６】
ノズル１９はポンプ２０と連結されてハウジング６０内に収納されるが、このとき、ノズル１９には図２４のようにシーリング紙１９２が設けられてもよい。シーリング紙１９２は使用者によって剥がされてからノズル１９とポンプ２０が結合されてもよく、またはノズル１９がポンプ２０に連結されるときポンプ２０の下端がシーリング紙１９２を貫通することによってシーリング紙１９２が破れて内容器１０の内部がポンプ２０の内部と連通されてもよい。
【０１８７】
内容器１０のホース１９１はノズル１９に着脱可能に結合され、図２３の（Ａ）、（Ｂ）に示したように直線状をなすことができる。この場合、内容器１０はまるでペンのような形態を有する。
【０１８８】
但し、ホース１９１は曲げられる材質及び形態で設けられ、外力によって直線状から曲線状に変形されてハウジング６０内に収納されてもよい。例えば、内容器１０は、図２５に示したようにハウジング６０内にホース１９１が巻き取られた状態で収納されることができる。
【０１８９】
この場合、ホース１９１の内容物Ｐは水平面上に竜巻のようにねじれているように設けられることによって、ホース１９１の一側から内容物Ｐが排出される方向とポンプ２０のポンピング方向が異なることができる。
【０１９０】
従って、ホース１９１とポンプ２０の間のノズル１９は密閉体Ｓが内容物Ｐを押し出す方向に対して垂直に内容物Ｐを排出する形状に設けられることができる。即ち、ノズル１９は折り曲げられたり、曲げられたりすることで内容物Ｐの流動方向を変形させる。
【０１９１】
このように、本実施例は、ペン状の内容器１０に対してノズル１９をポンプ２０に差し込み、ホース１９１部分を曲がるように変形させてハウジング６０内に収納する方式で内容器１０がハウジング６０に収容されることができる。
【０１９２】
従って、使用者は異なる内容物Ｐを収容する２つ以上の内容器１０を手軽に携帯しながら取り替えて使用することができ、コンパクトのようなタイプの化粧品１にはない革新的な取り替え方式により使用満足度はもちろんこと、楽しみを得ることができる。
【０１９３】
但し、内容器１０のホース１９１を曲げてハウジング６０内に収納するステップは、内容器１０のホース１９１が図２３の（Ｃ）のように既に曲がった状態で設けられる場合は省略されてもよい。即ち、内容器１０のホース１９１が既に巻かれている形状で設けられてそのまま販売され、使用者は内容器１０を特に変形させずにハウジング６０内に結合して使用することができる。
【０１９４】
また、ハウジング６０の貫通口６２は使用者が内容器１０を収納するのに十分な直径を有することができ、内容器１０を保護するために上述したカバー部１５が本実施例に適用できることは言うまでもない。
【０１９５】
また、本実施例は、ハウジング６０またはカバー部１５が透明または半透明に形成され、ハウジング６０の内部を開放しなくても内容器１０に貯蔵された内容物Ｐの色、残量などを容易に確認できる。
【０１９６】
本実施例のポンプ２０は、図２４に示したように、図５〜図７における構造／配置を有することができ、このとき、図５〜図７で説明した改善された形態／材質の弾性部材２５が使用されてもよい。
【０１９７】
この場合、本実施例は、吐出板４０の水平下降を保障し、化粧品１の全体の高さを減らすことができるとともに、ホース１９１状の内容器１０を使用して化粧品１の高さをさらにコンパクトに改善することができる。
【０１９８】
参考までに、図３の場合は、内容器１０の開口１１にポンプが挿入される構造であるため、本実施例は内容器１０のノズル１９をポンプ２０に着脱する方式で内容器１０を取り替えるために、図３ではなく図５〜図７のポンプ２０構造が適切である。
【０１９９】
このように、本実施例は円筒状ではない曲げられるペン状や竜巻状の内容器１０を利用することにより、革新的な美感を与えて市場において消費者の関心を集中的に集めることができる。
【０２００】
但し、本実施例は、上述した内容器１０を小容器１３にする構造であってもよい。この場合、図２３は小容器１３を示し、下側が開放され、開口１１にポンプ２０が結合されている内容器１０の内部にノズル１９とホース１９１を有する小容器１３が取り替えられてもよい。
【０２０１】
図２６は本発明の第１１実施例による化粧品において内容物が詰め替えられる様子を示す斜視図であり、図２７は本発明の第１１実施例による化粧品において内容物が詰め替えられる様子を示す断面図であり、図２８は本発明の第１１実施例による化粧品において内容器が開放される様子を示す底面図である。
【０２０２】
また、図２９及び図３０は本発明の第１１実施例による化粧品において内容物が詰め替えられる様子を示す斜視図である。
【０２０３】
本実施例は、上述した実施例で説明した内容器１０を取り替える方式の代わりに、内容器１０に内容物Ｐを充填する方式を用いてもよい。このとき、内容物Ｐの充填は内容物Ｐを使い切った場合や内容器１０の内容物Ｐに他の内容物Ｐを混合する場合などに行われることができる。但し、以下では、便宜上、内容物Ｐを使い切った後、内容物Ｐが充填される場合に限定して説明する。
【０２０４】
まず、図２６を参照すると、本発明の第１１実施例による化粧品１は、ポンプ２０が取り付けられ、内容物Ｐが排出される開口１１を介して内容物Ｐの詰め替えが行われることができる。
【０２０５】
但し、開口１１を介した詰め替えを具現するために、ポンプ２０は上述した様々な実施例により内容器１０の開口１１から分離されることができ、例えば、第７実施例のようにポンプ２０は枠部５０のヒンジ回転によって開口１１から分離されて開口１１を開放することができる。
【０２０６】
このとき、開口１１には詰め替え部８０が結合されてもよい。開口１１と詰め替え部８０の結合はポンプ２０と開口１１の結合と同一／類似してもよいが、これに制限されるものではない。詰め替え部８０の場合は使用者が詰め替え部８０を把持した状態で内容物Ｐを注入するようになるが、ポンプ２０の場合は吐出板４０を押してポンプ２０の作動が具現されるものであるため、詰め替え部８０と開口１１の結合はポンプ２０と開口１１の結合よりシーリングが相対的に少なくなされてもよい。
【０２０７】
ポンプ２０は第１実施例で説明したようにエアレスポンプ２０であってもよいが、この場合、内容器１０の内部には内容物Ｐが排出されることに応じて内容物Ｐを押す方向に移動する加圧板１２が内部に設けられる。
【０２０８】
但し、内容器１０が図３での形状を有するのであれば、詰め替えるとき、加圧板１２は下側に位置することができ、一方、内容器１０が図５などでの形状を有するのであれば、詰め替えるとき、加圧板１２は上側に位置することができる。
【０２０９】
前者の場合、詰め替え部８０によって開口１１を介して内容物Ｐが注入されると、内容物Ｐの注入圧力によって加圧板１２が上昇することができ、後者の場合は、逆に、内容物Ｐの注入圧力によって加圧板１２が下降することができる。即ち、詰め替え部８０は、開口１１を介して内容物Ｐを注入しながら加圧板１２が内容物Ｐの排出前の位置に復元されるようにすることができる。
【０２１０】
但し、内容物Ｐの粘度、本発明の使用者の範囲（一般的に女性）を考慮すると、注入圧力だけで加圧板１２を元の位置に復元させるのは不便かもしれない。従って、本実施例は、空気流入口１２１の反対側に加圧板１２復元口（不図示）を設けることができる。
【０２１１】
加圧板１２復元口は、図３における内容器１０の場合は下側に設けられ、図５などにおける内容器１０の場合は上側に設けられ、詰め替え部８０の先端８１や別途の道具が加圧板１２復元口に挿入されて加圧板１２を内容物Ｐの排出前の位置に復元させることができる。
【０２１２】
但し、加圧板１２復元口が開放された状態を保持すると、内容物Ｐが加圧板１２復元口を通じて漏れるため、加圧板１２復元口は詰め替え部８０による詰め替えのときに開放され、ポンプ２０の結合時には密閉されるように設けられる。これは開閉可能なシーリング構造（不図示）を備えるなどの公知技術によって具現することができる。
【０２１３】
従って、使用者はポンプ２０をハウジング６０でヒンジ回転により開けて開口１１から分離した後、開口１１に注射器状などの詰め替え部８０を結合して詰め替え部８０を介して内容器１０の内部に内容物Ｐが充填されるようにするが、円滑に加圧板１２が元の位置に復元されるようにすることができる。
【０２１４】
一方、図２７の場合は、図２６とは異なり、加圧板１２復元口を設けずに加圧板１２の元の位置への復元が可能である。具体的に、図２７を参照すると、本実施例において、内容器１０は、図５などのように、内容物Ｐを使い切ると、加圧板１２が上側に位置する形状を有するが、加圧板１２は開口１１に結合される詰め替え部８０によって下降することができる。
【０２１５】
例えば、詰め替え部８０の先端８１は開口１１を貫通して入るが、加圧板１２は詰め替え部８０の先端８１によって押されることで内容物Ｐの排出前の下側の位置に復元されることができる。このとき、開口１１にはネジ山１１２が設けられ、詰め替え部８０にもネジ山８２が設けられて、詰め替え部８０を回転させながら詰め替え部８０が開口１１に強固に密着するように結合することができる。
【０２１６】
但し、本実施例ではポンプ２０がエアレスポンプ２０であるため、加圧板１２をそのまま下降させると、内容器１０の内部が負圧となる。このとき、本実施例は、内容器１０の内部の負圧を活用して内容物Ｐの詰め替えを具現することができる。
【０２１７】
即ち、詰め替え部８０が開口１１に結合されながら詰め替え部８０の先端８１によって加圧板１２が下降して内容物Ｐの排出前の下側の位置に復元されると、加圧板１２の上側部分である内容器１０の内部は負圧となり、詰め替え部８０の内部から自然に内容物Ｐを吸い込むことができる。
【０２１８】
これにより、詰め替え部８０から負圧となった内容器１０の内部に内容物Ｐが伝達されることができ、本実施例は、圧力差による内容物Ｐの伝達に加えて、チューブ容器状などの詰め替え部８０を加圧して内容物Ｐが伝達されるようにすることもできる。
【０２１９】
但し、詰め替え部８０の先端８１は圧力による復元力に耐えながら加圧板１２を円滑に下降させるとともに内容物Ｐの排出を具現することができるように、図面に示したように複数の羽根部分を利用して加圧板１２に接触する面積を広げることができる中空の円錐や四角錘などの形状であってもよい。
【０２２０】
本実施例において、図２６及び図２７の場合、開口１１を介して内容物Ｐを詰め替えるものであるが、以下の図２８〜図３０は開口１１ではない注入口１１３を使用することができる。以下に具体的に説明する。
【０２２１】
まず、図２８を参照すると、内容器１０は開口１１の反対側に詰め替え部８０を介して内容物Ｐが詰め替えられる注入口１１３を設けてもよい。ここで、反対側とは、内容物Ｐが排出される方向の反対側を意味し、開口１１と注入口１１３が必ずしも対向する必要はない。但し、注入口１１３は内容器１０から内容物Ｐが排出された後、加圧板１２が位置する一側に隣接して設けられることができる。
【０２２２】
例えば、図３での形状を有する内容器１０には、注入口１１３が上面の開口１１周辺に設けられていてもよく、一方、図５などでの形状を有する内容器１０には、注入口１１３が下面の適切な位置に設けられていてもよい。
【０２２３】
参考までに、注入口１１３は１つ以上設けられてもよく、複数個の注入口１１３に対応するように詰め替え部８０の先端８１も複数個で設けられてもよい。従って、本実施例は、２つ以上の注入口１１３を介して内容物Ｐを詰め替えることで、内容物Ｐが内容器１０の内部にまんべんなく広がりながら詰められるようにすることができる。
【０２２４】
内容器１０は注入口１１３を開閉するシーリング部材１１４を有することができる。このとき、シーリング部材１１４は内容器１０の一面から剥がれて注入口１１３を開放する形態、内容器１０の一面上でスライドして注入口１１３を開放する形態、及び／または回転によって内容器１０の一面から分離されて注入口１１３を開放する形態などその形態や個数に制限はない。
【０２２５】
例えば、図２８は、回転しながらスライドするシーリング部材１１４の上に剥がれるシーリング部材１１４が２重で設けられて、注入口１１３に対する２重シーリングを具現することができるが、その他にも多様な方式のシーリングが可能である。
【０２２６】
または、本実施例は、注入口１１３に自主的なシーリング機能を付与することができる。例えば、注入口１１３は密閉状態を保持するが、詰め替え部８０の先端８１によって加圧されると、先端８１だけを通過させるように貫通される形態に変わるゴム膜などであってもよい。
【０２２７】
図２８〜図３０で説明する本実施例の場合、使用者は、図２８のようにシーリング部材１１４を剥がすか、動かして注入口１１３を開放させることができる。その後、図２９のように、使用者は詰め替え部８０の先端８１を注入口１１３に結合することができ、注入口１１３内に入った詰め替え部８０の先端８１を介して内容器１０の内部に内容物Ｐが注入されることができる。
【０２２８】
また、図３０のように、使用者は、回転によりシーリング部材１１４を除去して注入口１１３を露出させた後、詰め替え部８０の先端８１を注入口１１３に差し込んで詰め替えることができるが、このとき、シーリング部材１１４の除去を容易にするために、シーリング部材１１４とかみ合う構造のキャップ８３が詰め替え部８０に設けられ、キャップ８３を利用してシーリング部材１１４を回転させた後、シーリング部材１１４とキャップ８３を除去し詰め替え部８０を注入口１１３に結合することができる。
【０２２９】
上のような詰め替え方式は、図２６とは異なり、内容物Ｐの注入方向と加圧板１２の復元方向が常に同じであるため、女性使用者の場合も加圧板１２を予め復元させなくても内容物Ｐの詰め替えが容易にできる。
【０２３０】
勿論、注入口１１３が加圧板１２復元口としての機能を有することができるため、詰め替え部８０の先端８１のうち少なくとも一部分（詰め替え部８０の先端８１が複数個である場合、少なくとも一部）は加圧板１２を元の位置に復元させる構成として使用されてもよい。
【０２３１】
本実施例の内容器１０は、開口１１が設けられる一側と注入口１１３が設けられる他側が相互対称に設けられ、開口１１と注入口１１３が互いに互換できるように設けられてもよい。即ち、注入口１１３にもポンプ２０の結合が可能である。
【０２３２】
この場合、使用者は、内容器１０をひっくり返しながら詰め替えたり使用したりすることができ、内容物Ｐの排出後に加圧板１２が置かれる位置に関わらず、加圧板１２の元の位置への復元や詰め替えが開口１１と注入口１１３によって非常に容易にできる。
【０２３３】
このように、本実施例は、内容器１０を取り替えることなく内容器１０に内容物Ｐの注入が行われるようにすることで、内容器１０などが全て再利用されるため、費用節減及び環境保護が可能であり、また、様々な種類の内容物Ｐを詰め替えまたは混合して使用することができ、使用者の選択の幅を広げることができる。
【０２３４】
本発明は、上記で説明した実施例に限らず、上記実施例の組み合せまたは上記実施例のうち少なくとも何れか１つと公知技術の組み合せをさらに他の実施例として含むことができる。
【０２３５】
以上、本発明を具体的な実施例を通じて詳細に説明したが、これは本発明を具体的に説明するためのものであり、本発明はこれに限定されず、本発明の技術的思想内で当該分野の通常の知識を有する者によってその変形または改良が可能であることは明らかである。
【０２３６】
本発明の単純な変形ないし変更は全て本発明の領域に属し、本発明の具体的な保護範囲は添付の特許請求の範囲によって明確になるだろう。
【符号の説明】
【０２３７】
１  化粧品
Ｐ  内容物
Ｓ  密閉液
１０  内容器
１１  開口
１１１  シーリング部材
１１２  ネジ山
１１３  注入口
１１４  シーリング部材
１２  加圧板
１２１  空気流入口
１３  小容器
１３１  カバー
１４  ネジ山
１５  カバー部
１５１  表示部
１５２  引っ掛かり部
１６  引っ掛かり突起
１６１  加圧部
１７  引っ掛け片
１８  丸枠
１９  ノズル
１９１  ホース
１９２  シーリング紙
２０  ポンプ
２１  シリンダー
２２  ピストン
２３  昇降部材
２４  ピストンリング
２５  弾性部材
２６  ネジ山
３０  拡散部
３１  拡散空間
３２  パッキン部材
３３  装着突起
４０  吐出板
４１  吐出口
４２  装着孔
５０  枠部
５１  内側枠部
５２  外側枠部
５３  掛金
５４  ボタン
５５  ヒンジ部
５６  引っ掛かり突起
６０  ハウジング
６１  引っ掛かり突起
６２  貫通口
６３  ネジ山
６４  引き出し溝
６５  帯部材
６６  引っ掛かり突起
７０  蓋
７１  ヒンジ部
７１１  プッシュ部
８０  詰め替え部
８１  先端
８２  ネジ山
８３  キャップ
【図１】
2021536296.tif 000003
【図２】
2021536296.tif 000004
【図３】
2021536296.tif 000005
【図４】
2021536296.tif 000006
【図５】
2021536296.tif 000007
【図６】
2021536296.tif 000008
【図７】
2021536296.tif 000009
【図８】
2021536296.tif 000010
【図９】
2021536296.tif 000011
【図１０】
2021536296.tif 000012
【図１１】
2021536296.tif 000013
【図１２】
2021536296.tif 000014
【図１３】
2021536296.tif 000015
【図１４】
2021536296.tif 000016
【図１５】
2021536296.tif 000017
【図１６】
2021536296.tif 000018
【図１７】
2021536296.tif 000019
【図１８】
2021536296.tif 000020
【図１９】
2021536296.tif 000021
【図２０】
2021536296.tif 000022
【図２１】
2021536296.tif 000023
【図２２】
2021536296.tif 000024
【図２３】
2021536296.tif 000025
【図２４】
2021536296.tif 000026
【図２５】
2021536296.tif 000027
【図２６】
2021536296.tif 000028
【図２７】
2021536296.tif 000029
【図２８】
2021536296.tif 000030
【図２９】
2021536296.tif 000031
【図３０】
2021536296.tif 000032
【国際調査報告】
2021536296.tif 000033
2021536296.tif 000034
2021536296.tif 000035
2021536296.tif 000036
2021536296.tif 000037
2021536296.tif 000038